【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
透明なフィルム基材上に、少なくとも、セキュリティ層，第一の金属薄膜層からなる表用積層材と，
透明なフィルム基材上に、少なくとも、セキュリティ層，第二の金属薄膜層からなる裏用積層材とが、接着剤層を介して、前記第一の金属薄膜層と前記第二の金属薄膜層の表出面で貼り合わされており、
おもて側から見たときと裏側から見たときとで、異なるパターンが視認されることを特徴とする偽造防止材。
【請求項２】
請求項１に記載の偽造防止材において、
前記セキュリティ層は、光回折構造が形成されている層、または、セキュリティ図柄が印刷されている層であることを特徴とする偽造防止材。
【請求項３】
請求項１または２に記載の偽造防止材において、
前記第一の金属薄膜層と前記第二の金属薄膜層は異なる色の金属により構成されていることを特徴とする偽造防止材。
【請求項４】
請求項１または２に記載の偽造防止材において、
前記第一の金属薄膜層と前記第二の金属薄膜層は同一色の金属により構成されていることを特徴とする偽造防止材。
【請求項５】
請求項１〜４何れかに記載の偽造防止材において、
前記第一の金属薄膜層と前記第二の金属薄膜層には金属部を除去したことによるパターンが形成されていることを特徴とする偽造防止材。
【請求項６】
請求項５に記載の偽造防止材において、
前記接着剤層は、着色された接着剤層であることを特徴とする偽造防止材。
【請求項７】
請求項１〜６何れかに記載の偽造防止材を備えた印刷基材であって、
前記偽造防止材は帯状の形態をなし、前記印刷基材の一部にスレッドとして漉き込まれていることを特徴とする偽造防止材を備えた印刷基材。
【請求項８】
請求項７に記載の印刷基材において、
前記印刷基材には、帯状のスレッドに沿って当該スレッドの一部を表出する複数の開口部が形成されていることを特徴とする偽造防止材を備えた印刷基材。
【手続補正２】
【補正対象書類名】明細書
【補正対象項目名】０００５
【補正方法】変更
【補正の内容】
【０００５】
前記課題の目的を達成するために、本発明の偽造防止材の第一の態様は、透明なフィルム基材上に、少なくとも、セキュリティ層，第一の金属薄膜層からなる表用積層材と，透明なフィルム基材上に、少なくとも、セキュリティ層，第二の金属薄膜層からなる裏用積層材とが、接着剤層を介して、前記第一の金属薄膜層と前記第二の金属薄膜層の表出面で貼り合わされており、おもて側から見たときと裏側から見たときとで、異なるパターンが視認されることを特徴とするものである。
【手続補正３】
【補正対象書類名】明細書
【補正対象項目名】０００６
【補正方法】変更
【補正の内容】
【０００６】
また、第二の態様は、第一の態様において、前記セキュリティ層は、光回折構造が形成されている層、または、セキュリティ図柄が印刷されている層であることを特徴とするものである。
【手続補正４】
【補正対象書類名】明細書
【補正対象項目名】０００７
【補正方法】変更
【補正の内容】
【０００７】
また、第三の態様は、第一または第二の態様において、前記第一の金属薄膜層と前記第二の金属薄膜層は異なる色の金属により構成されていることを特徴とするものである。
【手続補正５】
【補正対象書類名】明細書
【補正対象項目名】０００８
【補正方法】変更
【補正の内容】
【０００８】
また、第四の態様は、第一または第二の態様において、前記第一の金属薄膜層と前記第二の金属薄膜層は同一色の金属により構成されていることを特徴とするものである。
【手続補正６】
【補正対象書類名】明細書
【補正対象項目名】０００９
【補正方法】変更
【補正の内容】
【０００９】
また、第五の態様は、第一から第四何れかの態様において、前記第一の金属薄膜層と前記第二の金属薄膜層には金属部を除去したことによるパターンが形成されていることを特徴とするものである。
【手続補正７】
【補正対象書類名】明細書
【補正対象項目名】００１０
【補正方法】変更
【補正の内容】
【００１０】
また、第六の態様は、第五の態様において、前記接着剤層は、着色された接着剤層であることを特徴とするものである。
【手続補正８】
【補正対象書類名】明細書
【補正対象項目名】００１１
【補正方法】変更
【補正の内容】
【００１１】
また、第七の態様は、第一から第六何れかの態様の偽造防止材を備えた印刷基材であって、前記偽造防止材は帯状の形態をなし、前記印刷基材の一部にスレッドとして漉き込まれていることを特徴とするものである。
【手続補正９】
【補正対象書類名】明細書
【補正対象項目名】００１２
【補正方法】変更
【補正の内容】
【００１２】
また、第八の態様は、第七の態様の印刷基材において、前記印刷基材には、帯状のスレッドに沿って当該スレッドの一部を表出する複数の開口部が形成されていることを特徴とするものである。
【手続補正１０】
【補正対象書類名】明細書
【補正対象項目名】００１３
【補正方法】変更
【補正の内容】
【００１３】
１）本発明の偽造防止材の第一、第二の態様のように、透明なフィルム基材上に、少なくとも、セキュリティ層，第一の金属薄膜層からなる表用積層材と，透明なフィルム基材上に、少なくとも、セキュリティ層，第二の金属薄膜層からなる裏用積層材とが、接着剤層を介して、第一の金属薄膜層と第二の金属薄膜層の表出面で貼り合わされており、おもて側から見たときと裏側から見たときとで、異なるパターンが視認されることによって、また、セキュリティ層は、光回折構造が形成されている層、または、セキュリティ図柄が印刷されている層であることによって、偽造防止材を表裏から見た場合に、表裏異なったパターンを表出することができ、同一面積中に二倍の情報を保持させることができる。
２）また、第三の態様のように、第一または第二の態様において、第一の金属薄膜層と第二の金属薄膜層は異なる色の金属により構成されていることによって、表裏から視認される反射色が異なり、開口部が小さくても表裏のパターンの違いを一段と視認し易くすることができる。
３）また、第四の態様のように、第一または第二の態様において、第一の金属薄膜層と第二の金属薄膜層は同一色の金属により構成されていることによって、第六の態様との組み合わせで、表裏から視認される反射色が異なり、開口部が小さくても表裏のパターンの違いを一段と視認し易くすることができる。
４）また、第五の態様のように、第一から第四何れかの態様において、第一の金属薄膜層と第二の金属薄膜層には金属部を除去したことによるパターンが形成されていることによって、セキュリティ層によるセキュリティに偽造防止要素が付加され、偽造防止の効果を一段と高めることができる。
５）また、第六の態様にように、第五の態様において、接着剤層は、着色された接着剤層であることによって、表裏から視認される反射色が異なり、開口部が小さくても表裏のパターンの違いを視認し易くすることができる。
６）また、第七の態様にように、第一から第六何れかの態様の偽造防止材を備えた印刷基材であって、偽造防止材は帯状の形態をなし、印刷基材の一部にスレッドとして漉き込まれたことによって、スレッド漉き込み印刷用紙の偽造防止効果を高めることができる。
７）また、第八の態様のように、第七の態様の印刷基材において、印刷基材には、帯状のスレッドに沿って当該スレッドの一部を表出する複数の開口部が形成されていることによって、例えば、開口部が印刷基材を貫通する状態になっている箇所では、スレッドの表裏に異なったパターンを表出することができ、スレッド漉き込み印刷用紙の偽造防止効果を一段と高めることができる。
【手続補正１１】
【補正対象書類名】明細書
【補正対象項目名】００１５
【補正方法】変更
【補正の内容】
【００１５】
図１を参照して、本発明の偽造防止材の一例について説明する。
図１のａ図は、本発明の偽造防止材１の一例を、おもて側から見たときの状態を示し、ｂ図は、ａ図の裏側を示したものである。
図示しないが、本実施形態の偽造防止材１は、上述のａ図に示す表用積層材１１と、ｂ図に示す裏用積層材１２が中間で接着剤６によって貼り合わされた構造になっている。
おもて側から見た時に、ｂ図に示した「アルファベット」の文字図柄によるセキュリティ層は視認されず、また、裏側から見た時には、ａ図に示した「飛行機」の図柄によるセキュリティ層は視認されない。
このように、互いに反対側のセキュリティ層が視認されないのは、後述する第一の金属薄膜層及び第二の金属薄膜層に反射されることによる。
【手続補正１２】
【補正対象書類名】明細書
【補正対象項目名】００２９
【補正方法】変更
【補正の内容】
【００２９】
（材料）
一部、図２，図８を参照して本実施形態の偽造防止材と印刷基材の材料について製造手順を踏まえて説明する。
本実施形態の印刷基材９は、有価証券などで利用される坪量７０〜１５０ｇ／ｍ2の基紙を使用する。そのため、上層基紙９２と下層基紙９１のつけ比率を１０：５０〜２５：１２０の範囲内で行う。
また、紙料は、ＮＢＫＰ，ＬＢＫＰに、白土，紙力増強剤，サイズ剤，硫酸バンドを適量加え調製する。
偽造防止材１は、厚さ１６〜２５μｍの透明なフィルム基材１１１，１２３に、厚さ２〜６μｍの熱硬化性の透明樹脂層を形成し、透明樹脂層に光回折構造を形成し、光回折構造の表面に、スパッタリング手段などによって、厚さ０．０４〜０．０８μｍのアルミニウムや胴などによる第一の金属薄膜層１１３，第二の金属薄膜層１２３を形成する。
第一の金属薄膜層１１３，第二の金属薄膜層１２３は光回折構造の反射層となる。
第一の金属薄膜層１１３，第二の金属薄膜層１２３に公知のデメタライズ手段（パターンニング手段）によってパターンを形成する。
第一の金属薄膜層１１３，第二の金属薄膜層１２３いずれかの表面にロールコーティング手段などを使用して接着剤を塗布し、第一の金属薄膜層１１３と第二の金属薄膜層１２３を貼り合わせる。接着剤層６は、前述のように無色透明にしたり、着色された透明状態にする。
透明なフィルム基材１１１，１２１の表出面に、例えば、ビニル系の感熱接着剤を５〜１０μｍの厚さに塗工する。
広幅のスレッド用ロールを、スリッターで微細な帯状にスリットし、スレッドとする
【手続補正１３】
【補正対象書類名】明細書
【補正対象項目名】００３２
【補正方法】変更
【補正の内容】
【００３２】
１，２，３  本実施形態の偽造防止材，スレッド
４，５  従来の偽造防止材
６      接着剤（粘着剤含む）
７      商品券
８      接着剤
９      印刷基材
１１    表用積層材
１２    裏用積層材
９１    下層基材
９２    上層基材
１１１，１２１，２１１，２２１，３１１，３２１，４１１，５１１  透明なフィルム基材
１１２，１２２，２１２，２２２，３１２，３２２，４１２，５１２  セキュリティ層
１１３，２１３，３１３  第一の金属薄膜層
１２３，２２３，３２３  第二の金属薄膜層
２１３１，２２３１，３１３１，３２３１，５１３１  金属部を除去したことによるパターン